(57)【要約】【課題】シャットダウン制御信号（ＴｘＤｉｓａｂｌｅ）と異常状態検出信号（ＴｘＦａｕｌｔ）の端子を共通化して端子数を削減できるようにした光送信器を提供する。【解決手段】光送信器３は、ＬＤ４、ＬＤ駆動回路６、ＡＰＣ回路７、コントローラ８、外部監視制御信号入出力端子ｇ、出力用バッファ９を備える。出力用バッファ９は、TxFault出力端子ｂと接続された入力端子と、所定の電圧にプルアップされTxDisable入力端子ａに接続されると共に、外部監視制御信号入出力端子ｇと接続された出力端子とを備える。コントローラ８は、バイアス電流のモニタ値がシャットダウン閾値を超えた場合に、TxFault出力端子ｂから出力用バッファ１１にTxFaultを出力し、TxDisable入力端子ａへの入力に基づいてＡＰＣ回路７へシャットダウン信号を出力すると共に、TxFaultを外部監視制御信号入出力端子ｇへ出力させる。【選択図】図１
2009296292.tif 000002
【特許請求の範囲】
【請求項１】
光信号を送信する半導体レーザと、該半導体レーザにバイアス電流を出力する駆動部と、該駆動部を制御して前記半導体レーザの光出力を一定に保持するＡＰＣ部と、前記駆動部から出力されるバイアス電流をモニタする制御部とを備えた光送信器であって、
前記制御部と光伝送装置とを接続するための外部監視制御信号入出力端子と、該外部監視制御信号入出力端子と前記制御部との間に設けられた出力用バッファとを備え、
前記出力用バッファは、前記制御部が備える異常状態検出信号出力端子と接続された入力端子と、所定の電圧にプルアップされ前記制御部が備えるシャットダウン制御信号入力端子に接続されると共に、前記外部監視制御信号入出力端子と接続された出力端子とを備え、
前記制御部は、前記バイアス電流のモニタ値がシャットダウン閾値を超えた場合に、前記異常状態検出信号出力端子から前記出力用バッファに異常状態検出信号を出力し、前記シャットダウン制御信号入力端子への入力に基づいて前記ＡＰＣ部へシャットダウン信号を出力すると共に、前記異常状態検出信号を前記外部監視制御信号入出力端子へ出力させることを特徴とする光送信器。
【請求項２】
前記出力用バッファは、ベースまたはゲートが前記制御部と接続され、コレクタまたはドレインが抵抗素子を介して所定の電位と接続されたトランジスタで構成されることを特徴とする請求項１に記載の光送信器。
【請求項３】
前記制御部は、前記光伝送装置と通信するためのシリアル通信インタフェースを備え、
該シリアル通信インタフェースを介して送信される前記光伝送装置からのリセットコマンドにより、前記光送信器の異常検出状態をリセットすることを特徴とする請求項１又は２に記載の光送信器。
【請求項４】
請求項１〜３のいずれか１項に記載の光送信器を備えた光伝送装置であって、
前記光送信器を外部から制御するための外部制御部と、トランジスタで構成された外部出力用バッファとを備え、
前記外部制御部は、前記光送信器の外部監視制御信号入出力端子と接続された入力端子と、前記外部出力用バッファの入力端子と接続された出力端子とを備え、
前記外部出力用バッファのドレインまたはコレクタが前記光送信器の外部監視制御信号入出力端子と接続されていることを特徴とする光伝送装置。
【請求項５】
光信号を送信する半導体レーザと、該半導体レーザにバイアス電流を出力する駆動部と、該駆動部を制御して前記半導体レーザの光出力を一定に保持するＡＰＣ部と、前記駆動部から出力されるバイアス電流をモニタする制御部と、該制御部と光伝送装置とを接続するための外部監視制御信号入出力端子と、該外部監視制御信号入出力端子と前記制御部との間に設けられた出力用バッファとを備えた光送信器の制御方法であって、
前記出力用バッファの入力端子が、前記制御部が備える異常状態検出信号出力端子と接続され、
前記出力用バッファの出力端子が、所定の電圧にプルアップされ前記制御部が備えるシャットダウン制御信号入力端子に接続されると共に、前記外部監視制御信号入出力端子と接続され、
前記制御部が、前記バイアス電流のモニタ値がシャットダウン閾値を超えた場合に、前記異常状態検出信号出力端子から前記出力用バッファに異常状態検出信号を出力し、前記シャットダウン制御信号入力端子への入力に基づいて前記ＡＰＣ部へシャットダウン信号を出力すると共に、前記異常状態検出信号を前記外部監視制御信号入出力端子へ出力させることを特徴とする光送信器の制御方法。
【発明の詳細な説明】
【技術分野】
【０００１】
本発明は、光通信に用いられる光送信器、光送信器を備えた光伝送装置、及び光送信器の制御方法に関する。
【背景技術】
【０００２】
光ファイバとの間で光信号を送受する光トランシーバの需要が高まっている。このような光トランシーバにおいて２種類の規格がＭＳＡ（Multiple Source Agreement）で定められている。それぞれＳＦＦ（Small Form Factor）型、ＳＦＰ（Small Formfactor Pluggable）型と呼ばれている。
【０００３】
両者（ＳＦＦ型及びＳＦＰ型）の光トランシーバをシステム機器に取り付けた場合、両者の取り付け状態は略同様となるが、ＳＦＦ型の場合、マザーボードに直接半田付けなどの方法で固定し、システム機器のフェースパネルから光コネクタのみを露出させて、光コネクタを外部から挿抜する形式のものである。一方、ＳＦＰ型の場合、電気信号が本体後部、すなわち光コネクタが挿入される光レセプタクルの反対側（俗に本体の後部／お尻側と呼んでいる）から入出力されている状態、すなわち電気的に「ＯＮ」になっている状態でも、システム機器から光トランシーバ本体を抜き差しできるようになっているものをいう。このように電気的に「ＯＮ」の状態でも抜き差しできるためPluggable（Plug+able）と呼ばれている。このＳＦＰ型光トランシーバは、非特許文献１に基づいて、その電気的仕様、外観仕様等が定められている。
【０００４】
また、信号光源としてよく用いられる半導体レーザ（LD：Laser Diode）は、周囲の温度変化に応じて、光出力パワーが変動することが知られている（例えば、特許文献１を参照）。従来の光送信器には、この温度変化による光出力特性の変動に対応してバイアス電流を制御し、一定の光出力を得るためのＡＰＣ（Automatic Power Control）回路が設けられる。このＡＰＣ回路は、ＬＤの発光出力を一定に保つために、制御しているバイアス電流を監視し、バイアス電流が増大したときにアラームを発出させる機能を備え、場合によっては発光強制停止（シャットダウン）させる機能も具備されている。
【０００５】
図５は、従来の光送信器の構成を示すブロック図である。図中、１００はホストボードで、該ホストボード１００は、伝送信号生成回路１０１、光送信器１０２、外部コントローラ１０８を備える。さらに、光送信器１０２は、ＬＤ１０３、モニタＰＤ（Photo Diode）１０４、ＬＤ駆動回路１０５、ＡＰＣ回路１０６、コントローラ１０７を備える。
【０００６】
コントローラ１０７は、光出力シャットダウン制御信号（ＴｘＤｉｓａｂｌｅ）と光出力異常状態フラグ信号（ＴｘＦａｕｌｔ）に対応して、それぞれ独立した監視制御ピンを備える。以下、ＴｘＤｉｓａｂｌｅをシャットダウン制御信号、ＴｘＦａｕｌｔを異常状態検出信号と呼ぶものとする。
【０００７】
シャットダウン制御信号がホストボード１００の外部コントローラ１０８からアサートされると、コントローラ１０７はＡＰＣ回路１０６に対してシャットダウン信号を出力して光出力をシャットダウンする。ここで、アサートとは、信号が有効にされることを意味する。
【０００８】
また、コントローラ１０７は、ＬＤ駆動回路１０５からのバイアス電流をモニタし、バイアス電流が異常状態と判定した場合、異常状態検出信号を外部コントローラ１０８にアサートするとともに、ＡＰＣ回路１０６に対してシャットダウン信号を出力して光出力をシャットダウンする。この異常状態検出信号はコントローラ１０７内でラッチされており、これは異常状態検出信号のアサートによる光出力のシャットダウンでバイアス電流が閾値以下になったとしても解除されない。アサートされた異常状態検出信号は、外部コントローラ１０８からシャットダウン制御信号がアサートされるまで保持される。
【０００９】
また、外部コントローラ１０８と光送信器１０２のコントローラ１０７とはシリアル通信インタフェースで接続されており、外部コントローラ１０８は光送信器１０２の内部状態の監視やソフトウェア制御ができるようになっている。
【非特許文献１】INF-8074i Specification for SFP（Small Formfactor Pluggable） Transceiver Rev 1.0 May 12, 2001
【特許文献１】特開２０００−２２６３１号公報
【発明の開示】
【発明が解決しようとする課題】
【００１０】
しかしながら、非特許文献１で規定されているＳＦＰ型のようなプラガブル光データリンクの場合、さらなる小型化を進めるには物理的な制約からピン数削減が必要となる。電源ピンや光送受信信号ピンは、動作特性上削減が困難であることから、外部監視制御信号ピンが削減対象となる。
【００１１】
Ｉ２Ｃ等のシリアル通信用ピンを用いて監視制御を行い、それ以外の監視制御信号ピンを削除することが考えられるが、高速な応答が必要とされる場合には専用制御ピンが必要となる。例えば、非特許文献１では、シャットダウン制御信号によるシャットダウンは１０μｓ以内で行うことが規定されているが、伝送速度１００ｋＨｚのシリアル通信で制御を行うには通信時間で３００μｓ以上かかってしまうので代替手段にすることはできない。
【００１２】
また、異常状態検出信号が発出されるときは、特許文献１に記載されているように、光出力がシャットダウンされるため、ホストボード１００では異常状態検出信号が発出されていることを検出すると、通信回線をバックアップ系に切り換えるなど復旧処理を早急に行う必要がある。このため非特許文献１では、異常状態検出信号を異常状態が発生してから１００μｓ以内に発出することが規定されているが、これもシャットダウン制御信号と同様な理由でシリアル通信を代替手段にすることはできない。
【００１３】
このように、シャットダウン制御信号の入力ピンと異常状態検出信号の出力ピンは、Ｉ２Ｃ等のシリアル通信ではなく、ハードウェア監視制御ピンで実現する必要があるが、これらは独立した監視制御ピンであるために、小型化を進める上での弊害となっていた。
【００１４】
本発明は、上述のような実情に鑑みてなされたもので、シャットダウン制御信号（ＴｘＤｉｓａｂｌｅ）と異常状態検出信号（ＴｘＦａｕｌｔ）の端子を共通化して端子数を削減できるようにした光送信器、光伝送装置、及び光送信器の制御方法を提供すること、を目的とする。
【課題を解決するための手段】
【００１５】
本発明による光送信器は、光信号を送信する半導体レーザと、半導体レーザにバイアス電流を出力する駆動部と、駆動部を制御して半導体レーザの光出力を一定に保持するＡＰＣ部と、駆動部から出力されるバイアス電流をモニタする制御部と、制御部と光伝送装置とを接続するための外部監視制御信号入出力端子と、外部監視制御信号入出力端子と制御部との間に設けられた出力用バッファとを備える。
出力用バッファは、制御部が備える異常状態検出信号出力端子と接続された入力端子と、所定の電圧にプルアップされ制御部が備えるシャットダウン制御信号入力端子に接続されると共に、外部監視制御信号入出力端子と接続された出力端子とを備える。
制御部は、バイアス電流のモニタ値がシャットダウン閾値を超えた場合に、異常状態検出信号出力端子から出力用バッファに異常状態検出信号を出力し、シャットダウン制御信号入力端子への入力に基づいてＡＰＣ部へシャットダウン信号を出力すると共に、異常状態検出信号を外部監視制御信号入出力端子へ出力させる。
【発明の効果】
【００１６】
本発明によれば、シャットダウン制御信号（ＴｘＤｉｓａｂｌｅ）と異常状態検出信号（ＴｘＦａｕｌｔ）の端子を共通化できるため、機能を損なうことなく端子（ピン）数を削減することができる。
【発明を実施するための最良の形態】
【００１７】
以下、添付図面を参照しながら、本発明による光送信器、光送信器を備えた光伝送装置、及び光送信器の制御方法の好適な実施の形態について説明する。
【００１８】
図１は、本発明による光送信器を備えた光伝送装置の構成例を示すブロック図である。図中、１は光伝送装置（以下、ホストボードという）で、該ホストボード１は、伝送信号生成回路２と、光送信器３、出力用バッファ１１、外部コントローラ１２、光送信器用電源スイッチ１３を備える。出力用バッファ１１は、本発明の外部出力用バッファに相当し、トランジスタで構成される。外部コントローラ１２は、本発明の外部制御部に相当し、光送信器３の外部監視制御信号入出力端子ｇと接続された入力端子ｄと、出力用バッファ１１の入力端子と接続された出力端子ｅとを備える。そして、出力用バッファ１１のドレインまたはコレクタが光送信器３の外部監視制御信号入出力端子ｇと接続される。
【００１９】
光送信器３は、光通信を行うためのＳＦＰ型の光トランシーバなどであって、ＬＤ（Laser Diode）４、モニタＰＤ（Photo Diode）５、ＬＤ駆動回路６、ＡＰＣ回路７、コントローラ８、出力用バッファ９、プルアップ抵抗１０を備える。
【００２０】
伝送信号生成回路２は、伝送信号を生成して光送信器３に入力する。ＬＤ駆動回路６は、本発明の駆動部に相当し、伝送信号生成回路２から入力された伝送信号に基づく駆動（バイアス）電流をＬＤ４に出力する。ＬＤ４は、本発明の半導体レーザに相当し、ＬＤ駆動回路６から入力された駆動電流に基づく光信号を出力する。
【００２１】
モニタＰＤ５は、ＬＤ４の光出力パワーをモニタし、光出力パワーモニタ信号をＡＰＣ回路７に出力する。ＡＰＣ回路７は、本発明のＡＰＣ部に相当し、モニタＰＤ５からの光出力パワーモニタ信号に基づいて、ＬＤ４の発光出力を一定に保つために、ＬＤ駆動回路６に対して駆動電流制御信号を出力する。
【００２２】
コントローラ８は、本発明の制御部に相当し、ＬＤ駆動回路６からのバイアス電流モニタ信号に基づいて、バイアス電流に異常の有無を判定し、異常がある場合、ＡＰＣ回路７に対してシャットダウン信号を出力する。また、コントローラ８は、後述の図２に示すように、異常状態検出信号（ＴｘＦａｕｌｔ）を出力するＴｘＦａｕｌｔ出力端子ｂと、シャットダウン制御信号（ＴｘＤｉｓａｂｌｅ）を入力するＴｘＤｉｓａｂｌｅ入力端子ａとを備える。
【００２３】
図２は、図１に示すＸ部を詳細に示した図である。このように、コントローラ８は、異常状態検出信号の出力とシャットダウン制御信号の入力とを１つの外部監視制御信号入出力端子ｇで行うように構成される。
また、図３は、本発明の光送信器の動作に係る外部監視制御状態の一例を説明するための図である。図中、ＴｘＤｉｓａｂｌｅはシャットダウン制御信号、ＴｘＦａｕｌｔは異常状態検出信号を示す。
【００２４】
図２，３において、出力用バッファ９は、バイポーラ型あるいはＦＥＴ（Field EffectTransister）型のトランジスタであって、ベースまたはゲートがコントローラ８と接続され、コレクタまたはドレインがプルアップ抵抗１０を介して所定の電位と接続される。外部監視制御信号入出力端子ｇから出力されるＴｘＦａｕｌｔがＨｉｇｈの場合、出力用バッファ９の出力端子ｃはＨｉｇｈとなるため、外部監視制御信号はＨｉｇｈとなり、光送信器３の光出力状態はイネーブルとなる。一方、外部監視制御信号入出力端子ｇから出力されるＴｘＦａｕｌｔがＬｏｗの場合、出力用バッファ９の出力端子ｃはオン状態（Ｌｏｗ）となるため、外部監視制御信号はＬｏｗとなり、光送信器３の光出力状態はシャットダウンとなる。
【００２５】
図１において、コントローラ８から出力されるＴｘＦａｕｌｔは、出力用バッファ９を介して外部監視制御信号として出力され、光送信器３のプルアップ抵抗１０により内部の所定電圧（例えば、電源電圧Ｖｃｃ）にプルアップされる。コントローラ８は、ＬＤ駆動回路６からのバイアス電流をモニタし、このモニタ値が閾値を超えると、バイアス電流が異常状態と判定して、ＴｘＦａｕｌｔをアサートする。このＴｘＦａｕｌｔは、正常時にはＨｉｇｈ、異常検出時にはＬｏｗとなる。
【００２６】
外部コントローラ１２から出力されるＴｘＤｉｓａｂｌｅは、出力用バッファ１１を介して外部監視制御信号として出力され、光送信器３の内部でＴｘＤｉｓａｂｌｅの入力としてコントローラ８に入力される。また、ＴｘＦａｕｌｔの発出時には必ず光出力をシャットダウンするように制御される。
【００２７】
ＴｘＤｉｓａｂｌｅがアサートされて光出力がシャットダウンされると、バイアス電流はゼロとなり閾値以下となるが、ＴｘＦａｕｌｔはコントローラ８でラッチされている。従って、このＴｘＦａｕｌｔは、光送信器用電源スイッチ１３により光送信器３の電源を切るか、あるいは、外部コントローラ１２とのシリアル通信により解除されるまではアサートされた状態となる。
【００２８】
ホストボード１は、コントローラ８から出力されるＴｘＦａｕｌｔをモニタし、コントローラ８がバイアス電流の異常を検出した場合に、通信回線を予備（バックアップ）系に切り替えるなどの処理を行う。
【００２９】
また、ホストボード１から光出力をシャットダウンしたい場合には、外部コントローラ１２がＴｘＤｉｓａｂｌｅをＬｏｗで出力して外部監視制御信号をＬｏｗに制御する。これにより、コントローラ８のＴｘＤｉｓａｂｌｅの入力がアサートされ、光送信器３からの光出力がシャットダウンされる。
【００３０】
このように、光送信器３は、コントローラ８とホストボート１とを接続するための外部監視制御信号入出力端子ｇと、外部監視制御信号入出力端子ｇとコントローラ８との間に設けられた出力用バッファ９とを備える。
【００３１】
出力用バッファ９は、コントローラ８のＴｘＦａｕｌｔ出力端子ｂと接続された入力端子と、所定の電圧にプルアップされコントローラ８のＴｘＤｉｓａｂｌｅ入力端子ａに接続されると共に、外部監視制御信号入出力端子ｇと接続された出力端子とを備える。
【００３２】
コントローラ８は、バイアス電流のモニタ値がシャットダウン閾値を超えた場合に、ＴｘＦａｕｌｔ出力端子ｂから出力用バッファ９にＴｘＦａｕｌｔを出力し、ＴｘＤｉｓａｂｌｅ入力端子ａへの入力に基づいてＡＰＣ回路７へシャットダウン信号を出力すると共に、このＴｘＦａｕｌｔを外部監視制御信号として外部監視制御信号入出力端子ｇへ出力させる。
【００３３】
図１において、ａはコントローラ８のＴｘＤｉｓａｂｌｅ入力端子、ｂはコントローラ８のＴｘＦａｕｌｔ出力端子、ｃは出力用バッファ９の出力、ｄは外部コントローラ１２のＴｘＦａｕｌｔ入力端子、ｅは外部コントローラ１２のＴｘＤｉｓａｂｌｅ出力端子、ｆは出力用バッファ１１の出力とする。なお、外部監視制御信号とは経路ｃ〜ｄ，経路ｃ〜ａ，経路ｆ〜ａの間における信号に相当するものとする。
【００３４】
出力用バッファ９の出力ｃは、光送信器３の外部監視制御信号入出力端子ｇとコントローラ８のＴｘＤｉｓａｂｌｅ入力端子ａの両方に接続されている。コントローラ８が自身で発出したＤｉｓａｂｌｅ信号をＨｉｇｈにすることで、出力用バッファ９を介してコントローラ８のＴｘＤｉｓａｂｌｅ入力端子ａがＬｏｗとなり、シャットダウンされる。また、外部コントローラ１２がＴｘＤｉｓａｂｌｅ信号を発出（Ｈｉｇｈ）して出力用バッファ１１の出力ｆをＬｏｗにした場合、コントローラ８のＴｘＤｉｓａｂｌｅ信号の出力がＨｉｇｈであるかＬｏｗであるかに係らず、コントローラ８のＴｘＤｉｓａｂｌｅ入力端子ａがＬｏｗであるため、シャットダウンされる。
【００３５】
ここで、コントローラ８は、バイアスモニタにより異常を検出すると、コントローラ８のＴｘＦａｕｌｔ出力端子ｂをＨｉｇｈにする。これにより、出力用バッファ９の出力ｃはＬｏｗになり、正常時はＨｉｇｈにプルアップされていたコントローラ８のＴｘＤｉｓａｂｌｅ入力端子ａの電位もＬｏｗとなる。このＴｘＤｉｓａｂｌｅ入力端子ａがＬｏｗになると、コントローラ８はＡＰＣ回路７にシャットダウン信号を発出する。
【００３６】
また、コントローラ８のＴｘＤｉｓａｂｌｅ入力端子ａがＬｏｗになった場合、外部コントローラ１２のＴｘＦａｕｌｔ入力端子ｄはＬｏｗになり、ホストボード１は光送信器３の異常を検出する。外部コントローラ１２はＴｘＤｉｓａｂｌｅ出力端子ｅをＨｉｇｈ、すなわち出力用バッファ１１の出力ｆをＬｏｗに維持する。従って、光送信器３において、コントローラ８のＴｘＦａｕｌｔ出力端子ｂがＨｉｇｈからＬｏｗに変化しても、ＴｘＤｉｓａｂｌｅ入力端子ａの電位はＬｏｗのまま維持される。外部コントローラ１２のＴｘＤｉｓａｂｌｅ出力端子ｅをＬｏｗにし、コントローラ８のＴｘＦａｕｌｔ出力端子ｂがＬｏｗであるときにはじめてシャットダウンが解除される。
【００３７】
これにより、シャットダウン制御信号（ＴｘＤｉｓａｂｌｅ）と異常状態検出信号（ＴｘＦａｕｌｔ）の端子を共通化できるため、機能を損なうことなく端子（ピン）数を削減することができる。さらに、ＴｘＤｉｓａｂｌｅの入力とＴｘＦａｕｌｔの出力がハードウェア監視制御ピンで実現されるため、高速な応答を実現することができる。
【００３８】
また、ホストボード１は図示しない通信制御用ＩＣを備え、この通信制御用ＩＣは自身の制御状態（ＴｘＤｉｓａｂｌｅ）と外部監視制御信号とを区別することで光送信器３の異常を検出することができる。すなわち、図３に示すように、通信制御ＩＣは、ＴｘＤｉｓａｂｌｅの出力がＨｉｇｈ、外部監視制御信号がＬｏｗの場合、光送信器３が異常状態であると判断して、光送信器３の光出力をシャットダウンするように制御する。
【００３９】
ここで、コントローラ８においてラッチされたＴｘＦａｕｌｔを解除するには、図５に示した従来構成では外部コントローラからＴｘＤｉｓａｂｌｅをアサートすることで行う方式がとられていた。しかし、本発明による回路構成では、ＴｘＤｉｓａｂｌｅ入力とＴｘＦａｕｌｔ出力を１つの端子で共有化しているのでこの方式をとることが出来ない。このため対応策として、ホストボード１に光送信器用電源スイッチ１３を設けて、光送信器３の電源を一旦切るか、あるいは、外部コントローラ１２とコントローラ８間のシリアル通信によってＴｘＦａｕｌｔを解除するようにしてもよい。
【００４０】
なお、シリアル通信を用いて異常検出状態をリセット（解除）する場合、光送信器用電源スイッチ１３を不要にすることができる。この場合、電源を切ることなくシリアル通信によって異常検出状態をリセットできるため、ホストボード上での光送信器用の電源ＯＮ／ＯＦＦ回路が不要となり、ホストボードの回路を簡素化できる。
【００４１】
図４は、本発明による光送信器３の制御方法の一例を説明するためのフロー図である。
まず、光送信器３のコントローラ８は、異常状態検出信号（Ｔｘｆａｕｌｔ）をクリア、すなわち、Ｔｘｆａｕｌｔ＝Ｈｉｇｈにし（ステップＳ１）、ＴｘＤｉｓａｂｌｅ＝Ｌｏｗであるか否かを判定する（ステップＳ２）。ＴｘＤｉｓａｂｌｅ＝Ｌｏｗではなく、ＴｘＤｉｓａｂｌｅ＝Ｈｉｇｈの場合（ＮＯの場合）、光送信器３の光出力状態をイネーブルにする（ステップＳ３）。また、ステップＳ２において、ＴｘＤｉｓａｂｌｅ＝Ｌｏｗである場合（ＹＥＳの場合）、光送信器３の光出力をシャットダウンする（ステップＳ４）。
【００４２】
次に、コントローラ８は、バイアス電流モニタ値＞シャットダウン閾値であるか否かを判定し（ステップＳ５）、バイアス電流モニタ値＞シャットダウン閾値でない場合（ＮＯの場合）、ステップＳ２に戻り処理を繰り返す。また、バイアス電流モニタ値＞シャットダウン閾値である場合（ＹＥＳの場合）、異常状態検出信号をアサート、すなわち、ＴｘＦａｕｌｔ＝Ｌｏｗにし（ステップＳ６）、ステップＳ２に戻り処理を繰り返す。
【図面の簡単な説明】
【００４３】
【図１】本発明による光送信器を備えた光伝送装置の構成例を示すブロック図である。
【図２】図１に示すＸ部を詳細に示した図である。
【図３】本発明の光送信器の動作に係る外部監視制御状態の一例を示す図である。
【図４】本発明による光送信器の制御方法の一例を説明するためのフロー図である。
【図５】従来の光送信器の構成を示すブロック図である。
【符号の説明】
【００４４】
１，１００…ホストボード（光伝送装置）、２，１０１…伝送信号生成回路、３，１０２…光送信器、４，１０３…ＬＤ、５，１０４…モニタＰＤ、６，１０５…ＬＤ駆動回路、７，１０６…ＡＰＣ回路、８，１０７…コントローラ、９，１１…出力用バッファ、１０…プルアップ抵抗、１２，１０８…外部コントローラ、１３…光送信器用電源スイッチ。
【図１】
2009296292.tif 000003
【図２】
2009296292.tif 000004
【図３】
2009296292.tif 000005
【図４】
2009296292.tif 000006
【図５】
2009296292.tif 000007